(57)【要約】      （修正有）【課題】例えば建築物の壁面などを装飾するモザイクを分割して制作する。【解決手段】モザイクの制作を管理する部署に配置されるサーバコンピュータシステムと、モザイクの制作を行う部署に配置されるクライアントコンピュータシステムとからなるモザイク制作システムであって、サーバコンピュータシステムが、モザイクの原画を蓄積する原画蓄積手段と、完成した部分モザイクの画像を原画蓄積手段に蓄積された原画の対応する部分画の位置に合成して作成される進捗画像を記憶する進捗画像記憶手段と、進捗画像記憶手段に記憶された進捗画像を少なくとも可視出力するサーバ側出力手段とを備えてなり、クライアントコンピュータシステムが、クライアント側出力手段により出力された原画に含まれる部分画に基づいて制作される部分モザイクが完成した時点で部分モザイクを撮影して部分モザイクの画像を作成する部分モザイク画像作成手段とを備えてなる。【選択図】図１
2006050129.tif 000002
【特許請求の範囲】
【請求項１】
モザイクの制作を管理する部署に配置され、複数の部分画からなるモザイクの原画を蓄積するとともにモザイクの制作状況を管理するサーバコンピュータシステムと、モザイクの制作を行う部署に配置され、サーバコンピュータシステムに接続されて相互に通信が可能なクライアントコンピュータシステムとからなり、それぞれのクライアントコンピュータシステムにおいて可視状態に出力される部分画に基づいて彩色の施された建築部材を配置して制作される部分モザイクの画像を原画と合成し得るモザイク制作システムであって、
サーバコンピュータシステムが、
モザイクの原画を蓄積する原画蓄積手段と、
完成した部分モザイクの画像を原画蓄積手段に蓄積された原画の対応する部分画の位置に合成して作成される進捗画像を記憶する進捗画像記憶手段と、
進捗画像記憶手段に記憶された進捗画像を少なくとも可視出力するサーバ側出力手段とを備えてなり、
クライアントコンピュータシステムが、原画蓄積手段に蓄積された原画及び進捗画像記憶手段に記憶された進捗画像を少なくとも可視出力するクライアント側出力手段と、
クライアント側出力手段により出力された原画に含まれる部分画に基づいて制作される部分モザイクが完成した時点で部分モザイクを撮影して部分モザイクの画像を作成する部分モザイク画像作成手段とを備えてなるモザイク制作システム。
【請求項２】
クライアントコンピュータシステムが、クライアント側出力手段に表示された原画に含まれる部分画の一つを選択する部分画選択手段と、
部分画選択手段により選択された部分画をクライアント側出力手段に出力させる出力制御手段とをさらに備えてなる請求項１記載のモザイク制作システム。
【請求項３】
クライアントコンピュータシステムが、制作中に並べられた建築部材の画像の位置と色とを検出して選択された部分画における色と並べられた建築部材の色とに基づいて建築部材が所定の位置に配置されたことを判定する判定手段と、
判定手段が所定位置に建築部材が配置されたことを判定した場合にその旨を報知する報知手段をさらに備えてなる請求項１又は２記載のモザイク制作システム。
【請求項４】
クライアントコンピュータシステムが、部分モザイクの制作が完了した場合にサーバコンピュータシステムに制作完了を通知する完了通知手段をさらに備え、サーバコンピュータシステムが、完了通知手段から制作完了の通知を受けた場合に制作を完了した部分モザイクの画像をクライアントコンピュータシステムから取得する画像取得手段をさらに備える請求項１、２、又は３記載のモザイク制作システム。
【請求項５】
サーバコンピュータシステムが、原図をクライアントコンピュータシステムに供給するとともにその原画に含まれる部分画の一つを選択してクライアントコンピュータシステムに供給する画像供給手段をさらに備えてなる請求項１、２、３、又は４記載のモザイク制作システム。
【請求項６】
サーバコンピュータシステムが、モザイクの元になる素材に基づいて原画を作成する原画作成手段をさらに備えてなる請求項１、２、３、４、又は５記載のモザイク制作システム。
【請求項７】
建築部材の配置作業を行うための作業面を備えてなる作業装置に、クライアントコンピュータシステムが組み込まれてなる請求項記１、２、３、４、５又は６載のモザイク制作システム。
【請求項８】
作業装置が、部分モザイクを制作する場合に建築部材を配置する領域を定める配置作業用器具を含んでなる請求項７記載のモザイク制作システム。
【発明の詳細な説明】
【技術分野】
【０００１】
本発明は、建築物の内外壁を装飾する、例えばタイルのような着色された建築部材を、所定の図柄となるように配置するためのモザイク制作システムに関するものである。
【背景技術】
【０００２】
従来、例えば透光大理石を所定の大きさに切断したものを、透光板の裏側に貼り付けた原画を基準にして、隙間なく透光板に固定して透光大理石によりモザイクを形成するものが知られている（特許公報１）。具体的には、モザイクを透光板上に制作するに際して、原画を透光板に貼り付け、その原画にあわせて、あらかじめ所要大の方形の薄板にした透光大理石を配置し、配置を完了した後無色系接着剤により透光大理石を透光板に接着し、透光板に貼り付けた原画を取り除いて完成させるものである。
【特許文献１】特開昭５０−１５４３１０号公報
【発明の開示】
【発明が解決しようとする課題】
【０００３】
ところで、このような構成のもので、モザイクが大きく、一枚の透光板で制作しようとするモザイクの部分を制作して、そのような部分を集合させて最終的に目的とするモザイクを制作する場合、それぞれの部分を別々の場所で制作すると、その進捗状況を把握しにくいものとなる。つまり、一枚の原画を何枚かの部分画に分割し、それぞれの部分画をほぼ同時に制作するとする。この場合、一カ所において、それぞれの部分画に対応するモザイクを制作するのであれば、それぞれの進捗状況を把握しやすいが、モザイクが大きくなればなるほど広い作業環境（作業台または作業場）を必要とした。したがって、十分に広い作業環境が確保できない場合、同時に作業を進められる部分画に対応するモザイクが少なくなり、制作にかかる時間が長くなるものであった。
【０００４】
このような作業環境に対して、同時に進める作業数を増やすために、異なる場所で制作を行うと、それぞれの作業者あるいは制作を監督している者が連絡を密にしないと、進捗状況が把握できない場合が生じる。つまり、この場合にあっては、一つの場所で制作するものを作業の開始に先立ってあらかじめ決めておき、作業が完了する毎に残りの場所において作業をしている者あるいは監督している者にその旨を連絡し、進捗状況をチェックしなければならなかった。しかしながら、それぞれの作業者あるいは監督者が、モザイクの全体の進捗状況を把握しようとすると、それらの連絡をまとめねばならず、労力のいるものとなった。
【０００５】
そこで本発明は、以上のような問題に鑑みて、モザイクの制作の携わっている者が容易に全体の進捗状況を把握し得るモザイク制作システムを提供しようとするものである。
【課題を解決するための手段】
【０００６】
すなわち、本発明のモザイク制作システムは、モザイクの制作を管理する部署に配置され、複数の部分画からなるモザイクの原画を蓄積するとともにモザイクの制作状況を管理するサーバコンピュータシステムと、モザイクの制作を行う部署に配置され、サーバコンピュータシステムに接続されて相互に通信が可能なクライアントコンピュータシステムとからなり、それぞれのクライアントコンピュータシステムにおいて可視状態に出力される部分画に基づいて彩色の施された建築部材を配置して制作される部分モザイクの画像を原画と合成し得るモザイク制作システムであって、サーバコンピュータシステムが、モザイクの原画を蓄積する原画蓄積手段と、完成した部分モザイクの画像を原画蓄積手段に蓄積された原画の対応する部分画の位置に合成して作成される進捗画像を記憶する進捗画像記憶手段と、進捗画像記憶手段に記憶された進捗画像を少なくとも可視出力するサーバ側出力手段とを備えてなり、クライアントコンピュータシステムが、原画蓄積手段に蓄積された原画及び進捗画像記憶手段に記憶された進捗画像を少なくとも可視出力するクライアント側出力手段と、クライアント側出力手段により出力された原画に含まれる部分画に基づいて制作される部分モザイクが完成した時点で部分モザイクを撮影して部分モザイクの画像を作成する部分モザイク画像作成手段とを備えてなることを特徴とする。
【０００７】
この発明において、モザイクの原画とは、モザイクを制作する場合に、建築部材を配置する位置を色により示しているもので、絵画、写真、写真などのフィルムに写された画像、イラストレーション、図柄（図案、模様のがら）などのモザイクのための素材を、例えば色調をモザイクにおける形状などの視認性が向上するように補正して作成するものである。この原画は、一つのモザイクを制作するのに際して、ほぼ同時進行での制作が可能なように、複数の区画に分割してある。それぞれの区画は、モザイクを制作する際の最小一単位に対応し、原画を構成する部分画として機能するものである。
【０００８】
彩色の施された建築部材としては、板状のものが好ましく、陶磁器製のタイル、板ガラス片、合成樹脂板片（アクリル、塩化ビニル、ポリプロピレン、ポリカーボネートなどを含む）ファインセラミック、スラグなどの材質のものが挙げられる。このような建築部材は、板状であれば、少なくとも一方の表面に彩色が施されている。陶磁器製のタイルでは、その一方の表面に彩色されているものであってよい。また、ガラス製、合成樹脂製のように、その内部にも彩色が可能な材料からなる建築部材にあっては、表面に彩色を施すもの、及び材料自体に彩色を施して板状にしたものが挙げられる。さらに、彩色については、塗料を塗布してなされたものであってもよい。
【０００９】
このような建築部材は、平面形状を特に限定するものではない。すなわち、建築部材の平面形状は、円、多角形（三角形、方形、正多角形などを含む）などの定形、及び形状が一定でない不定形であってよい。不定形とは、定形以外の形状で、例えば陶磁器製のタイルの場合、いわゆるクラッシュタイルと呼ばれる定形のタイルが製造工程や輸送時において割れて、原型とは異なる形状になったその形を含むものである。
【００１０】
このような構成において、サーバコンピュータシステムが、原画蓄積手段に制作するモザイクの原画を蓄積しており、クライアントコンピュータシステムが、その原画をクライアント側出力手段に可視出力することにより、原画に含まれる部分画に基づいて部分モザイクを制作することが可能になる。そして、クライアントコンピュータシステムの部分モザイク画像作成手段が完成した部分モザイクの画像を作成し、サーバコンピュータシステムのサーバ側出力手段が進捗画像記憶手段に記憶された進捗画像を可視出力するので、モザイクの制作を管理する部署において、モザイク制作の進捗状況を把握することが可能になる。
【００１１】
部分画の選択を容易にするためには、クライアントコンピュータシステムが、クライアント側出力手段に表示された原画に含まれる部分画の一つを選択する部分画選択手段と、部分画選択手段により選択された部分画をクライアント側出力手段に出力させる出力制御手段とをさらに備えてなるものが好適である。このような構成であれば、モザイクの制作を行う部署に配置される作業者により、部分画を選択することが可能になる。このため、作業者が制作したいと考える部分モザイクを制作することができ、能率を向上させることができる。
【００１２】
部分モザイクの制作を容易にするためには、クライアントコンピュータシステムが、制作中に並べられた建築部材の画像の位置と色とを検出して選択された部分画における色と並べられた建築部材の色とに基づいて建築部材が所定の位置に配置されたことを判定する判定手段と、判定手段が所定位置に建築部材が配置されたことを判定した場合にその旨を報知する報知手段をさらに備えてなるものが好ましい。報知手段としては、音（音声を含む）、画像、光などにより判定結果を報知するものが好ましい。このような構成であれば、配置した建築部材を誤ることなく配置することができ、作業者が所定の位置に建築部材を配置したことを迅速に把握することができる。したがって、建築部材の配置作業を効率よくでき、制作時間を短縮することができる。
【００１３】
進捗画像を迅速に作成するためには、クライアントコンピュータシステムが、部分モザイクの制作が完了した場合にサーバコンピュータシステムに制作完了を通知する完了通知手段をさらに備え、サーバコンピュータシステムが、完了通知手段から制作完了の通知を受けた場合に制作を完了した部分モザイクの画像をクライアントコンピュータシステムから取得する画像取得手段をさらに備えるものが望ましい。このような構成によれば、モザイクの制作を行う部署において、部分モザイクの制作が完了するとほぼ同時に、進捗画像を作成することができる。したがって、モザイク制作の進捗状況を即座に把握することができる。
【００１４】
モザイクの制作を管理する部署において、迅速に部分画をクライアントコンピュータシステムに割りふりするためには、サーバコンピュータシステムが、原図をクライアントコンピュータシステムに供給するとともにその原画に含まれる部分画の一つを選択してクライアントコンピュータシステムに供給する画像供給手段をさらに備えてなるものが好ましい。
【００１５】
原画の蓄積を容易にするためには、サーバコンピュータシステムが、モザイクの元になる素材に基づいて原画を作成する原画作成手段をさらに備えてなるものが好適である。具体的には、原画作成手段は、スキャナ（イメージスキャナ、フィルムスキャナ）、デジタルカメラなどを入力装置として使用して、素材である絵画や写真などを光学的に読み取り、原画を作成するものである。
【００１６】
部分モザイクの作業性を向上させるためには、クライアントコンピュータシステムが、建築部材の配置作業を行うための作業面を備えてなる作業装置に組み込まれてなるものが好ましい。このような作業装置において、さらに作業能率を向上させるためには、作業装置が、部分モザイクを制作する場合に建築部材を配置する領域を定める配置作業用器具を含んでなるものが好適である。
【発明の効果】
【００１７】
本発明は、以上説明したような形態で実施され、以下に記載されるような効果を奏する。
【００１８】
すなわち、本発明のモザイク作成システムによれば、進捗画像記憶手段に記憶された進捗画像が、完成された部分モザイクの画像を原図に合成して作成されているので、記憶された進捗画像をサーバ側出力手段により可視出力してチェックすることにより、実際に制作が完了した部分モザイクをモザイク全体に対して確認することができる。したがって、制作中のモザイクの進捗状況を容易に把握することができる。
【発明を実施するための最良の形態】
【００１９】
以下、本発明の一実施形態を、図面を参照して説明する。
【００２０】
図１に示すモザイク制作システムＳＹＳは、建築部材である例えば陶磁器製のタイル１によりモザイクを制作する際に使用するものである。モザイクは、例えば建築物の壁面に設置されるもので、建築部材である一方の面に色彩を施されてなるタイル１、特には平面形状が正方形、長方形あるいは三角形などのような一定の形状のものでない不定形のタイル１を多数用いて制作するものである。モザイクを制作するに際して、モザイクの絵柄あるいは模様を示した完成時の実物大の原画（絵画、写真、イラストレーションなど）ＯＰ（図２の（ａ）に示す）を分割線ＬＤにより分割して得られる複数の区画ＯＰ１，ＯＰ２，ＯＰ３，・・ＯＰｍ、・・ＯＰｎのそれぞれに応じた部分画ＰＰ（図２の（ｂ）に示す）を準備するものである。分割線ＬＤは、後述する作業配置用器具２の内側輪郭３ｂに対応する形状である。そして、モザイクは、後述する作業装置Ｗ１において配置作業用器具２を使用して各部分画に対応してモザイクの一部分となる部分モザイクＰＭＺ（図２の（ｃ）に示す）を制作し、部分モザイクＰＭＺを施工現場に運んで、それぞれの部分モザイクＰＭＺを所定の位置に配置することにより制作するものである。
【００２１】
モザイク作成システムＳＹＳは、図１に示すように、モザイクの制作を管理する部署である本部に配置されるサーバコンピュータシステムＳＹＳ１と、モザイクの制作を行う部署である作業所に配置され、例えばインターネットＩＮを介してサーバコンピュータシステムＳＹＳ１と相互に通信が可能に接続されるクライアントコンピュータシステムＳＹＳ２とからなる。この実施形態においては、作業所が複数存在し、それぞれの作業所には少なくとも一台の作業装置Ｗ１が設置され、その作業装置Ｗ１にクライアントコンピュータシステムＳＹＳ２が組み込まれているものである。この実施形態においては、作業所は、異なる場所（国を含む）にあるものである。作業所は、必ずしも異なる場所にある必要ではなく、本部と同一敷地（建造物を含む）内にあってもよく、またＬＡＮなどを用いてサーバコンピュータシステムＳＹＳ１とクライアントコンピュータシステムＳＹＳ２とが通信可能に接続されて複数の作業装置Ｗ１を設置するものであってよい。さらに、インターネットＩＮを介してサーバコンピュータシステムＳＹｓ１とクライアントコンピュータシステムＳＹＳ２とを通信可能に接続するもの以外に、専用通信回線により両者を接続するものであってよい。
【００２２】
サーバコンピュータシステムＳＹＳ１は、図３に示すように、サーバコンピュータ本体ＳＹＳ１１、サーバ側出力装置を構成するサーバ側表示装置ＳＹＳ１２及びプリンタＳＹＳ１３、絵画、写真、イラストレーションなどの素材を読み取るためのスキャナＳＹＳ１４及びデジタルカメラＳＹＳ１５、キーボードＳＹＳ１６、マウスＳＹＳ１７を備えて構成される。サーバコンピュータ本体ＳＹＳ１１は、中央演算ユニット（ＣＰＵ）ＳＹＳ１１ａ、内部メモリＳＹＳ１１ｂ、ハードディスクＳＹＳ１１ｃ、ＣＤ−ＲＯＭ、ＤＶＤなどの記憶媒体読み書き装置ＳＹＳ１１ｄ、入出力インターフェースＳＹＳ１１ｅ及び通信インターフェースＳＹＳ１１ｆを備えて構成される。
【００２３】
このような構成において、サーバコンピュータシステムＳＹＳ１は、ハードディスクＳＹＳ１１ｃに格納されるモザイク制作支援プログラムと上記各ハードウェアとが協働することにより、図４に示す、原画作成手段ＭＳ１、原画蓄積手段ＭＳ２、進捗画像作成手段ＭＳ３、進捗画像記憶手段ＭＳ４、サーバ側出力手段ＭＳ５及び画像取得手段ＭＳ６として機能する。
【００２４】
原画作成手段ＭＳ１は、スキャナＳＹＳ１４及びデジタルカメラＳＹＳ１５を含んで構成され、絵画や写真などのモザイクの元になる素材に基づいてコンピュータにより処理可能な画像データからなる原画ＯＰを作成するものである。具体的には、原画作成手段ＭＳ１は、例えば絵画をスキャナＳＹＳ１４により入出力インターフェースＳＹＳ１１ｅを介して読み取って画像データを作成し、その画像データを作成するモザイクの実物大の大きさに拡大して原画ＯＰとするものである。これは、後述する配置作業用器具２の配置領域３ａに対応する部分画を、配置領域３ａの実寸に一致させて確定するためである。また、デジタルカメラＳＹＳ１５を使用して例えばオブジェや彫刻と言った立体を撮影し、撮影して得られた画像を素材として原画ＯＰを作成することもできる。さらには、ＣＤ−ＲＯＭやＤＶＤに記憶された画像データを記憶媒体読み書き装置ＳＹＳ１１ｄにより取り込み、取り込んだ画像データを素材として原画ＯＰを作成するものであってもよい。
【００２５】
原画ＯＰが方形の場合、各作業装置Ｗ１において同時に部分モザイクＰＭＺの制作ができるように、原画作成手段ＭＳ１は、ほぼ正方形形状と見做せる複数の区画ＯＰ１〜ＯＰｎに分割して原画ＯＰを作成するものである。それぞれの区画ＯＰ１〜ＯＰｎは、モザイクを分割した場合の各分割部分を構成する部分モザイクＰＭＺを制作する際の、コンピュータにより処理可能な画像データからなる部分画ＰＰとなる。
【００２６】
それぞれ部分画ＰＰは、ほぼ同じ大きさに形成してあり、それぞれ独立してサーバ側表示装置ＳＹＳ１２及び後述するクライアント側表示装置ＳＹＳ２２に表示できるように構成されている。この部分画ＰＰの大きさは、後述する配置作業用器具２の配置領域３ａの大きさに対応している。そして、それぞれの部分画ＰＰには、原画ＯＰの全体に対する相対位置を識別するための位置情報であるアドレスが付してある。このアドレスは、次に説明する進捗画像ＰＩを制作する場合、及び部分モザイクの全てが完成し、それらを合成してモザイクをその設置現場において施工する場合に活用するものである。
【００２７】
それぞれの部分画ＰＰには、配置したタイル１の色彩を判別するために、色彩によりそれぞれ色別エリアＣＲ（位置データ）が設定してある。また、部分画ＰＰには、区画ＯＰｍにおける部分画ＰＰを例にとって説明すると、図２の（ｂ）に示すように、色別エリアＣＲが接する境界部分、つまり色彩が変わる境界部分には、所定幅を有して色彩の別を問わない緩衝ゾーンＢＺ（位置データ）が設定してある。この緩衝ゾーンＢＺは、モザイクを制作する場合に、緩衝ゾーンＢＺに対応する位置に配置されたタイル１が、その境界部分に接する色別エリアＣＲのいずれの色彩のものにより配置されても、そのタイル１の配置は正常なものと判定するために設定するものである。
【００２８】
原画蓄積手段ＭＳ２は、上述の原画作成手段ＭＳ１により作成された原画ＯＰ、あるいは入出力インターフェースＳＹＳ１１ｅを介して入力された原画ＯＰを、この手段の構成要素であるハードディスクＳＹＳ１１ｃに蓄積するものである。蓄積される原画ＯＰは、一枚でもよいし、複数枚でもよい。複数の原画ＯＰを蓄積する場合にあっては、複数のモザイクの制作を同時に進行させることが可能になる。なお、入出力インターフェースＳＹＳ１１ｅを介して入力される原画ＯＰにあっても、原画作成手段ＭＳ１において作成したものと同じ規格のものであることは言うまでもない。
【００２９】
進捗画像作成手段ＭＳ３は、クライアントコンピュータシステムＳＹＳ２により選択された部分画ＰＰの場所に無地の画像ＩＧｐを合成して、既に選択された部分画ＰＰが判別し得るように構成してあるとともに、クライアントコンピュータシステムＳＹＳ２から送られてインターネットＩＰを介して取り込まれる完成した部分モザイクＰＰの画像を、部分モザイクＰＭＺを制作する際に選択された部分画ＰＰに対応する原画ＯＰの場所に合成して、コンピュータにより処理可能な画像データからなる進捗画像ＩＰ（図５に示す）を作成するものである。完成した部分モザイクＰＭＺの画像ＰＭＺｉは、部分モザイクＰＭＺを制作する際に選択された部分画ＰＰに付されたアドレスが付加されている。したがって、完成した部分モザイクＰＭＺの画像ＰＭＺｉは、その付加されたアドレスにより原画ＯＰに合成されるものである。
【００３０】
進捗画像記憶手段ＭＳ４は、進捗画像作成手段３により、完成した部分モザイクＰＭＺの画像ＰＭＺｉを原画蓄積手段ＭＳ１に蓄積された原画ＯＰの対応する部分画ＰＰの位置に合成して作成される進捗画像ＩＰを、この手段の構成要素であるハードディスクＳＹＳ１１ｃに記憶するものである。
【００３１】
この実施形態において、進捗画像ＩＰは、部分画ＰＰの選択状況と部分モザイクＰＭＺの制作の進捗状況により変化するものである。すなわち、クライアントコンピュータシステムＳＹＳ２において、原画ＯＰから部分画ＰＰが選択されると、サーバコンピュータシステムＳＹＳ１はそのことを受けて選択された部分画ＰＰの場所を、無地例えば白色の画像にして進捗画像ＩＰを作成する。この進捗画像ＩＰは、原画ＯＰの選択された部分画ＰＰの場所を無地の画像ＩＧｐに置換したものであるので、原画ＯＰと同じに、残る部分画ＰＰはクライアントコンピュータシステムＳＹＳ２において選択可能である。そして、部分画ＰＰが選択される毎に、また部分モザイクＰＭＺの画像ＰＭＺｉをサーバコンピュータシステムＳＹＳ１が取り込む毎に、進捗画像ＩＰは更新されるものである。
【００３２】
したがって、各作業所における部分モザイクＰＭＺの制作初期においては、その大部分において白色の画像が多く含まれるものとなり、制作の終了に近づくほど、完成した部分モザイクＰＭＺの画像ＰＭＺｉが多くなって白色の画像が少なくなった進捗画像ＩＰとなるものである。このように、この実施系他の進捗画像ＩＰにあっては、部分モザイクＰＭＺの制作の進捗状況によって画像構成が変化するため、視覚的に進捗状況を把握することが可能になる。
【００３３】
サーバ側出力手段ＭＳ５は、サーバ側表示装置ＳＹＳ１２及びプリンタＳＹＳ１３を含んで構成され、進捗画像記憶手段ＭＳ４に記憶された進捗画像ＩＰを少なくとも可視出力、すなわちサーバ側表示装置ＳＹＳ１２の表示画面に表示したり、プリンタＳＹＳ１３により印刷するものである。この実施形態にあっては、原画作成の際にスキャナＳＹＳ１４により読み込まれた画像、作成された原画ＯＰ、進捗画像ＩＰなどを表示し得るものである。
【００３４】
画像取得手段ＭＳ６は、クライアントコンピュータシステムＳＹＳ２が送信する部分モザイクＰＭＺの制作完了を示す通知をインターネットＩＮを介して受けた場合に、制作を完了した部分モザイクＰＭＺの画像ＰＭＺｉをクライアントコンピュータシステムＳＹＳ２から取得するものである。すなわち、あるクライアントコンピュータシステムＳＹＳ２から制作完了の通知を受けると、画像取得手段ＭＳ６はそのクライアントコンピュータシステムＳＹＳ２にインターネットＩＮを介してアクセスし、クライアントコンピュータシステムＳＹＳ２において作成された部分モザイクＰＭＺの画像ＰＭＺｉを取得するものである。このように、クライアントコンピュータシステムＳＹＳ２から制作完了の通知を受けた場合に部分モザイクＰＭＺの画像ＰＭＺｉを取得することにより、作業者が意識しなくとも進捗画像ＩＰの作成が開始されるものとなり、部分モザイクＰＭＺが完成したにもかかわらずサーバコンピュータシステムＳＹＳ１に送信し忘れることにより、進捗画像ＩＰが更新できないと言った不具合の発生を防止し得るものである。
【００３５】
クライアントコンピュータシステムＳＹＳ２は、図６に示すように、クライアントコンピュータ本体ＳＹＳ２１、クライアント側出力装置を構成するクライアント側表示装置ＳＹＳ２２、スピーカＳＹＳ２３、判定スイッチＳＹＳ２４、撮影装置ＳＹＳ２５、キーボードＳＹＳ２６及びマウスＳＹＳ２７を備えて構成される。クライアントコンピュータ本体ＳＹＳ２１は、中央演算ユニット（ＣＰＵ）ＳＹＳ２１ａ、内部メモリＳＹＳ２１ｂ、ハードディスクＳＹＳ２１ｃ、ＣＤ−ＲＯＭ、ＤＶＤなどの記憶媒体読み書き装置ＳＹＳ２１ｄ、入出力インターフェースＳＹＳ２１ｅ及び通信インターフェースＳＹＳ２１ｆを備えて構成される。
【００３６】
このような構成において、クライアントコンピュータシステムＳＹＳ２は、ハードディスクＳＹＳ２１ｃに格納されるモザイク制作支援プログラムと各ハードウェアとが協働することにより、図７に示すように、クライアント側出力手段ＭＳ７、部分モザイク画像作成手段ＭＳ８、部分画選択手段ＭＳ９、判定手段ＭＳ１０、報知手段ＭＳ１１及び完了通知手段ＭＳ１２として機能する。
【００３７】
クライアント側出力手段ＭＳ７は、クライアント側表示装置ＳＹＳ２２を含んで構成され、サーバコンピュータシステムＳＹＳ１の原画蓄積手段ＭＳ１に蓄積された原画及び進捗画像記憶手段ＭＳ４に記憶された進捗画像ＩＰを少なくとも可視出力、すなわちクライアント側表示装置ＳＹＳ２２の表示画面に表示するものである。この実施形態にあっては、原画ＯＰを構成する部分画ＰＰの一枚が選択される構成であるので、クライアント側出力手段ＭＳ７はまずクライアント側表示装置ＳＹＳ２２に原画ＯＰを表示し、作業者により表示された原画ＯＰにある部分画ＰＰの一つが選択されるまでの間、原画ＯＰを表示するものである。この場合に、クライアント側出力手段ＭＳ７は、部分画ＰＰをクライアント側表示装置ＳＹＳ２２の表示画面に表示されるウィンドウに表示すると同時に、原画ＯＰを別のウィンドウに表示し得るものである。
【００３８】
部分モザイク画像作成手段ＭＳ８は、撮影装置ＳＹＳ２５を含んで構成され、制作される部分モザイクＰＭＺが完成した時点で部分モザイクＰＭＺを撮影して部分モザイクＰＭＺの画像ＰＭＺｉを作成するものである。すなわち、部分モザイク画像作成手段ＭＳ８は、作業者が部分モザイクＰＭＺの制作を完了した時点でキーボードＳＹＳ２６を操作することにより、撮影装置ＳＹＳ２５が撮影している部分モザイクＰＭＺの画像ＰＭＺｉを取り込み、コンピュータにより処理可能な画像データからなる部分モザイクＰＭＺの画像ＰＭＺｉを作成するものである。なお、撮影装置ＳＹＳ２５は、作業装置Ｗ１において制作されている部分モザイクＰＭＺを撮影するものであり、撮影した画像はクライアント側表示装置ＳＹＳ２２に表示されるものである。また、撮影された画像は、後述する判定手段ＭＳ１０においても使用されるものである。
【００３９】
部分画選択手段ＭＳ９は、キーボードＳＹＳ２６あるいはマウスＳＹＳ２７またはその両方を含んで構成され、原画ＯＰ及び進捗画像ＩＰのいずれか一方がクライアント側表示装置ＳＹＳ２２に表示されている状態において、キーボードＳＹＳ２６かマウスＳＹＳ２７を操作してクライアント側表示装置ＳＹＳ２２の表示画面に表示されているカーソルを、所望の部分画ＰＰに重ね合わせてマウスＳＹＳ２７のボタンをクリックするか、キーボードＳＹＳ２６の所定のキーを操作して、上記したそれらの原画ＯＰに含まれる部分画ＰＰの一つを選択するものである。
【００４０】
判定手段ＭＳ１０は、判定スイッチＳＹＳ２４及び撮影装置ＳＹＳ２５を含んで構成され、撮影装置ＳＹＳ２５と撮影した画像から制作中に並べられたタイル１の画像の位置と色とを検出して部分画選択手段ＭＳ９により選択された部分画ＰＰにおける色と並べられたタイル１の色とに基づいてタイル１が所定の位置に配置されたことを判定するものである。すなわち、判定手段ＭＳ１０は、判定スイッチＳＹＳ２４を押した際に、撮影装置ＳＹＳ２５が撮影した画像から、並べられたタイル１の画像の位置と色とを検出する。そして、検出した位置に対応する部分画ＰＰにおける色を識別して、識別した色と検出した色とを比較し、比較の結果、検出した色が識別した色を含む所定の色範囲に含まれる場合に、タイル１が所定の位置に配置されたと判定するものである。色範囲は、設定された色、例えば原色の赤を中心として、設定された割合で彩度、明度及び色相が変化した場合に、モザイク上ではほぼ同じ色彩とみなせる範囲で設定するものである。
【００４１】
報知手段ＭＳ１１は、スピーカＳＹＳ２３を含んで構成され、判定手段ＭＳ１０が所定位置にタイル１が配置されたことを判定した場合にその旨を報知するものである。具体的には、一つのタイル１を並び終えた場合に、判定手段ＭＳ１０が所定の位置にタイル１が配置されたと判定すると、その判定結果を受けてスピーカＳＹＳ２３により音声によりその旨を報知するものである。
【００４２】
完了通知手段ＭＳ１２は、部分モザイクＰＭＺの制作が完了した場合にサーバコンピュータシステムＳＹＳ１に制作完了を通知するものである。この実施形態にあっては、進捗画像作成手段ＭＳ３が進捗画像ＩＰを作成したことを受けて、完了通知手段ＭＳ１２は制作完了通知をサーバコンピュータシステムＳＹＳ１に対して出力するものである。
【００４３】
以上の構成を有するクライアントコンピュータシステムＳＹＳ２は、各作業所に設置される作業装置Ｗ１に組み込まれるものである。作業装置Ｗ１は、図８及び図９に示すように、基本的には、配置作業用器具２と、外光をほぼ遮断するフード部１１と、そのフード部１１を支持する支持台部１２と、クライアントコンピュータシステムＳＹＳ２とを備えて構成されるものである。この実施形態では、フード部１１と支持台部１２とは、例えばＦＲＰ（繊維強化プラスチック）などにより一体に形成してある。
【００４４】
具体的には、フード部１１は、正面に開口１１ａを備え、その底面部分に配置作業用器具２が載置される作業面１１ｂを備え、開口１１ａを介して高さ調整可能な椅子に着座した作業者が、作業面１１ｂに載置された配置作業用器具２に向き合えるようになっている。作業面１１ｂは、その中央部分に配置作業用器具２を載置した際に、配置作業用器具２の左右に手を置く程度の余地を有している。また、遮光性を良好にするために、開口１１ａは、作業者が作業をする場合に、開口１１ａを介してわずかに外光が入り込む程度の大きさに設定してある。このような構造にするために、開口１１ａの両側には正面壁面１１ｃが形成してあり、それぞれの正面壁面１１ｃに判定手段ＭＳ１０を構成する判定スイッチＳＹＳ２４が取り付けてある。
【００４５】
フード部１１の内部の正面奥には、クライアントコンピュータシステムＳＹＳ２の一部をなす例えば液晶表示装置からなるクライアント側表示装置ＳＹＳ２２が、その表示表面を透明合成樹脂板（例えばポリカーボネート板、アクリル板など）あるいは強化ガラス板などに保護された状態で設置してある。これは、作業中にタイル１がクライアント側表示装置ＳＹＳ２２に衝突して表示画面が損傷するような不具合を防ぐためである。又、フード部１１の内部の配置作業用器具２真上の天井部分には、例えばＣＣＤカメラからなる撮影装置ＳＹＳ２５が設置してあり、同じく内部の左右側方空間には、少なくとも作業面１１ｂに載置された配置作業用器具２の配置領域３ａに対して集中的に光を照射し得るように光源１６が設置してある。光源１６は、配置領域３ａに対して約４５度の角度の上方から光を照射するもので、光源１６の近傍には作業者側、クライアント側表示装置ＳＹＳ２２側及び撮影装置ＳＹＳ２５側に光が拡散しないように遮光板１１ｅが取り付けてある。
【００４６】
このような構成にすることにより、外光をほぼ遮断した状態でタイル１の配置作業が行えるので、作業者がタイル１の配置作業をする際のタイル１の色彩の認識性を向上させることができる。又、光源１６を遮光板１１ｅにより遮光していることにより、配置領域３ａにおけるタイル１の配置状態を撮影するのに十分な光量を確保することができるとともに、作業中に光源１６からの光が作業者の目に直接入ってタイル１の識別をしにくくさせるとか疲れさせると言った不具合を防ぐことができる。加えて、光源１６を配置領域３ａの側方の上方に配置し、タイル１で反射した光が撮影装置ＳＹＳ２５に直接に光が入射しないように構成しているので、タイル１の色彩、形状などを精度よく撮影することができる。
【００４７】
このようなフード部１１に対して、支持台部１２は、作業面１１ｂの下側にクライアントコンピュータシステムＳＹＳ２を構成するキーボードＳＹＳ２６やマウスＳＹＳ２７などの入力装置を収めることができる引き出し１２ａと、正面壁面１１ｃの下方に設けられてタイル１などを入れた容器などを収めることができる前収納部分１２ｂと、引き出し１２ａの下側に形成される下肢空間１２ｃの後側にクライアントコンピュータシステムＳＹＳ２のコンピュータ本体ＳＹＳ２１を収めることができ、後側に扉の設けられた後収納部分１２ｄと、移動用のキャスタ１２ｅを有している。
【００４８】
引き出し１２ａは、部分モザイクＰＭＺの制作作業の際には常時引き出しておく必要はなく、例えば部分画ＰＰを選択する場合、完成した部分モザイクＰＭＺの画像ＰＭＺｉを撮影する場合、クライアントコンピュータシステムＳＹＳ２の保守、点検や調整を実施する際などに引き出してキーボードＳＹＳ２６やマウスＳＹＳ２７を操作し得るようにするものである。前収納部分１２ｂは、例えば６つの収納空間を備えるもので、一つの部分モザイクＰＭＺを制作する際に使用するタイル１の全てを収納できることが望ましい。これに対して、後収納部分１２ｄは、前収納部分１２ｂに対して大容量に設定できるので、例えば２つに分割し、一方にコンピュータ本体ＳＹＳ２１を収納するとともに、他方に例えば部分モザイクＰＭＺを制作するのに関連する物品、例えば糊や紙などを収納し得るように構成するものである。
【００４９】
配置作業用器具２は、図１０に示すように、部分画に対応する配置領域３ａを規定する内側輪郭３ｂを有する枠体３と、その枠体３を移動不能に載せるとともに配置領域３ａの底面を形成する枠支持体４とからなる。なお、この実施形態における枠体３は、正方形あるいは長方形のモザイクに対して使用することを前提にしており、図１１に示すように、内側輪郭３ｂの形状の異なる９種類がある。すなわち、枠体３は、その内側輪郭３ｂの異なりにより、四隅用枠体３Ａ，３Ｂ，３Ｃ，３Ｄ、上下辺用枠体３Ｅ，３Ｆ、左右辺用枠体３Ｇ，３Ｈ及び四辺に接触しない中間用枠体３Ｋに種別される。以下の説明においては代表して、中間用枠体３Ｋを枠体３として説明する。なお、モザイクの全体形状によっては、枠体３の外形を正方形以外の形状、例えば円形、楕円形、三角形、平行四辺形、台形、五角形や六角形などの多角形などであってもよく、これら形状の異なるものを適宜に組み合わせて用いるものであってよい。
【００５０】
枠体３は、図１２の（ａ）に示すように、平面視ほぼ正方形状の外側輪郭３ｃを有し、かつ外側輪郭３ｃを構成する四辺に沿うようにして形成された内側輪郭３ｂと内側輪郭３ｂに沿って形成され、配置領域３ａに配置されるタイル１と内側輪郭３ｂとの線接触を阻止する離間手段である複数の凸部３ｄとを有している。この枠体３は、タイル１の厚みより薄い平板部３ｅと、その平板部３ｅの周囲に設けられる周囲枠部３ｆとからなる。平板部３ｅは、その内側部分に内側輪郭３ｂで規定される配置領域３ｂを有するものとなる。一方、周囲枠部３ｆは、その下面を平板部３ｅとほぼ面一にしてある。このような構成の枠体３は、平板部３ｅと周囲枠部３ｆとを別々に製造する木製や、その両者を一体に成形する合成樹脂製などである。平板部３ｅにおける内側輪郭３ｂは、原画ＯＰから区画を分割する際の分割線ＬＤに対応するもので、内側輪郭３ｂが絵柄あるいは模様に対して目立たないようにするため、少なくともその一部が自由曲線により形成してある。また、枠体３には、方向を認識するための位置マーク３ｇが、平板部３ｅにおける内側輪郭３ｂより外側で対角線上に設けてある。つまり、この位置マーク３ｇは、配置作業用器具２を使用する場合に、一方が左上に位置し、他方が右下に位置するようにして利用することにより、配置したタイル１による部分モザイクの全体のモザイクに対する向きを容易に特定し得るものとなる。
【００５１】
内側輪郭３ｂは、中間用枠体３Ｋ以外では、直線と平面視波状の自由曲線との組み合わせにより形成されており、外側輪郭３ｃ各辺に対応する少なくともその一辺部が自由曲線にしてある。これに対して、中間用枠体３Ｇの内側輪郭３ｂは、自由曲線のみで構成され、正方形の四辺のそれぞれを波状にして角部分において連結したような形状に形成してある。
【００５２】
複数の凸部３ｄそれぞれは、内側輪郭３ｂを基線として、内側輪郭３ｂで規定される配置領域３ａの内側に向いて突出する構造である。すなわち凸部３ｄは、平面視自由曲線により形成されるもので、その頂点３ｄａ間の距離は最も小さいタイル１の最短の一辺の長さより短く設定してある。言い換えれば、凸部３ｄと凸部３ｄとの間には、タイル１の一辺の全てが入り込まないように設定するものである。なお、それぞれの凸部３ｄの高さ、すなわち内側輪郭３ｂからその頂点３ｄａまでの距離は、部分モザイク間の目地となるので、配置領域３ａ内に配置されるつまり部分モザイクを形成しているタイル１間の目地にほぼ等しくなるような寸法に設定する。
【００５３】
枠支持体４は、図１２の（ｂ）及び図１３に示すように、平面視ほぼ正方形状の中央部分がその周囲より低くなって凹部４ａが形成された形状をしている。凹部４ａの形状は、平面視正方形で、枠体３の外側輪郭３ｃに対応している。つまり、この凹部４ａは、枠体３を移動不能な状態に嵌め込むことが可能、言い換えれば枠体３が嵌め込まれた状態で左右前後のいずれの方向にも枠体３を移動不能な状態にする大きさをしており、枠体３の周囲枠部３ｆの厚みとほぼ等しい深さをしている。また、凹部４ａの底面４ａａには、配置領域３をほぼ四等分する基準線４ｂが引いてある。一方、この凹部４ａの周囲に存在する額縁部４ｃには、持ち運びを容易にするための把手４ｄが対向する２辺に取り付けられているとともに、凹部４ａに嵌め込まれた枠体３に容易に指がかけられるようにえぐられた、平面視ほぼ半円形状の指掛け部４ｅが設けられている。なお、枠支持体４は、九種類ある枠体３に対して、共通に使用することができる。
【００５４】
以上の構成において、モザイクの制作は以下のようにして行う。なお、このモザイク制作システムＳＹＳにおいては、サーバコンピュータシステムＳＹＳ１にそれぞれの作業所を識別するのに必要な、例えば作業所名、住所、電話番号、作業装置台数、作業装置識別番号、作業者名などの作業所情報が蓄積されている。このような作業所情報により、サーバコンピュータシステムＳＹＳ１にアクセスした作業所が特定できるもので、どの作業所においてどの部分モザイクＰＭＺを制作しているかが把握し得るように構成してあるものである。そして、クライアントコンピュータシステムＳＹＳ２からサーバコンピュータシステムＳＹＳ１にアクセスする場合には、クライアントコンピュータシステムＳＹＳ２において入力される作業装置識別番号及びパスワードによりアクセスする者を確認するように構成されている。
【００５５】
まず、図１４において、本部において、サーバコンピュータシステムＳＹＳ１に制作するモザイクの原画ＯＰを作成（ステップＳ１）して蓄積（ステップＳ２）する。管理者は、原画ＯＰに使用する例えば絵画をスキャナＳＹＳ１４により読み取り、読み取った絵画をサーバ側表示装置ＳＹＳ１２に表示させ、表示された画像を見ながら加工して原画ＯＰを作成する。読み取った絵画の画像は、原画作成手段ＭＳ１によりまず制作するモザイクの実物大の大きさに拡大され、配置作業用器具２の配置領域３ａに対応する大きさで区画されて原図ＯＰとなる。このようにして作成された原画ＯＰは、ハードディスクＳＹＳ１１ｃに蓄積され、インターネットＩＮを介してクライアントコンピュータシステムＳＹＳ２がサーバコンピュータシステムＳＹＳ１にアクセスした際に、ダウンロードし得るようになっている。
【００５６】
次に、各作業所においては、部分モザイクＰＭＺを制作するために、モザイク作成支援プログラムを起動して、インターネットを介してクライアントコンピュータシステムＳＹＳ２をサーバコンピュータシステムＳＹＳ１と通信し得る状態にする。同プログラムが起動した後、クライアント側表示装置ＳＹＳ２２に表示される指示にしたがってキーボードＳＹＳ２６を操作し、作業装置識別番号、パスワードと言った必要事項を入力してサーバコンピュータシステムＳＹＳ１にアクセスする（ステップＳ３）。サーバコンピュータシステムＳＹＳ１へアクセスが完了した後、サーバコンピュータシステムＳＹＳ１に蓄積された原画ＯＰをダウンロードすなわち原画ＯＰを取得する（ステップＳ４）。原画ＯＰがクライアント側表示装置ＳＹＳ２２の表示画面に表示されると、作業者はマウスＳＹＳ２７を操作して、原画ＯＰを構成する部分画ＰＰの一つを選択する（ステップＳ５）。これによって、選択された部分画ＰＰがクライアント側表示装置ＳＹＳ２７の表示画面に、原画ＯＰを表示するウィンドウとは別のウィンドウにより表示される。なお、部分画ＰＰが選択された場合、原画ＯＰを表示するウィンドウは閉じるものであってもよい。
【００５７】
部分画ＰＰがクライアントコンピュータシステムＳＹＳ２において選択されると、サーバコンピュータシステムＳＹＳ１は、原画の選択された部分画の場所を無地の画像ＩＧｐに置換し、その置換により得られる画像を進捗画像ＩＰとしてハードディスクＳＹＳ１１ｃに保存する（ステップＳ６）とともに、部分画ＰＰを選択したクライアントコンピュータシステムＳＹＳ２に対して原画ＯＰに代えて進捗画像ＩＰを出力するものである。これによって、クライアントコンピュータシステムＳＹＳ２のクライアント側表示装置ＳＹＳ２２に進捗画像ＩＰが表示され（ステップＳ７）、各作業所の作業者は、自分が選択した部分画ＰＰの場所と、どの部分画ＰＰがまだ制作されずに残っているのかを、一目瞭然に把握することができるものである。
【００５８】
このようにして、制作しようとする部分モザイクＰＭＺを決定した後、表示された部分画ＰＰに存在する色彩に対応する色彩が施されたタイル１を準備するとともに、部分画ＰＰの形状、つまりモザイクの隅部分、上縁部分、下縁部分、中央部分などの部分画の形状に対応する内側輪郭３ｂを有する枠体３を枠支持体４の凹部４ａに嵌め込んで配置作業用器具２を準備する。準備した配置作業用器具２は作業装置Ｗ１の作業面１１ｂ１に置く。
【００５９】
配置作業用器具２は、作業面１１ｂにおける撮影装置ＳＹＳ２５のほぼ真下の位置に置くものである。このように配置作業用器具２を配置すると、クライアントコンピュータシステムＳＹＳ２は、撮影装置ＳＹＳ２５が撮影した配置作業用器具２の映像において、配置作業用器具２の位置マーク３ｇを読み取って、その位置マーク３ｇを結んだ線分を対角線とする正方形で包囲される領域を、タイル配置の判定のための画像読み取り領域として設定する。
【００６０】
以上のようにして部分モザイクＰＭＺを制作する前準備が終了した後、作業者は配置作業用器具２の配置領域３ａに、部分画ＰＰを参照してタイル１を並べていく。タイル１は、タイル１を配置しようとする部分画ＰＰの色別エリアＣＲを決め、その色別エリアＣＲの色彩にほぼ等しい色彩のものを選択する。タイル１を選択した後、選択したタイル１の彩色が施された表面を上にして、配置作業用器具２の配置領域３ａの前記色別エリアＣＲに対応する位置に配置する。
【００６１】
タイル１の配置が完了すると、作業者は両腕をフード部１１の外側に出し、ほぼ同時に正面壁面１１ｃに取り付けてある判定スイッチＳＹＳ２４を操作する。これによって、クライアントコンピュータシステムＳＹＳ２は撮影装置ＳＹＳ２５が撮影した画像を読み込み、読み込んだ画像におけるタイル１の色と位置とを検出し、前記色別エリアＣＲの色と位置とを比較して、配置の良否を判定する（ステップＳ８）。この場合に、タイル１の色彩は、判定手段ＭＳ１０が上述のように色範囲を設定しているので、部分画ＰＰに表示される色彩に近似するものであれば、判定手段ＭＳ１０により正常と判定されるものである。
【００６２】
判定の結果、タイル１が所定位置に配置されたと判定された場合は、報知手段ＭＳ１１を構成するスピーカＳＹＳ２３により、その旨を報知する音声、例えば「正しいです。」あるいは「ＯＫです。」を出力する（ステップＳ９）。これに対して、彩色と位置との少なくとも一方が間違っていた場合には、「間違いです。」あるいは「やり直してください。」などの音声を出力するものである。
【００６３】
タイル１の配置については、上記の作業を繰り返すものであるが、基本的には、タイル１は、図１５に示すように、隣接するタイル１に接触しないように、目地をあけて配置していく。部分画ＰＭＺにおいて、色彩の境界部分、つまり色別エリアＣＲが接する部分では、その境界線に沿って、一方の色別エリアＣＲから他方の色別エリアＣＲに、またその逆にそれぞれ、タイル１の一部がはみ出すものであってよい。この場合に、はみ出しているタイル１の面積がほぼ同程度であれば、そのような色彩の境界部分における原画と部分モザイクＰＭＺとの色彩の差違を最小限に抑制することが可能になる。
【００６４】
このようにして、部分画ＰＰを参照しながら、部分画ＰＰの色彩に対応するタイル１を対応する位置に配置していく。配置されるタイル１のうち、配置領域３ａの周辺部分に配置されるものは、凸部３ｄに接触するものであってよい。あるいは、タイル１の一つの角が、凸部３ｄと凸部３ｄとの間に入り込むものであってもよい。しかしながら、上述したように、凸部３ｄの頂点３ｄａ間距離は最も小さいタイル１の一辺の長さより短いので、タイル１が凸部３ｄと凸部３ｄとの間に入り込むことはない。
【００６５】
以上のようにして、タイル１を配置作業用器具２の配置領域３ａの全体に配置して、部分モザイクＰＭＺが完成すると、作業者はキーボードＳＹＳ２６を操作して部分モザイクＰＭＺが完成したことを入力する。このキーボードＳＹＳ２６の操作により、コンピュータ本体ＳＹＳ２１は、キーボードＳＹＳ２６が操作された時点において撮影装置ＳＹＳ２５が撮影した画像を読み込み、完成した部分モザイクＰＭＺの画像ＰＭＺｉとして、対応する部分画ＰＰのアドレスに基づく位置情報を付して一時的にハードディスクＳＹＳ２１ｃに保存する。これと同時に、クライアントコンピュータシステムＳＹＳ２は、サーバコンピュータシステムＳＹＳ１に対して部分モザイクＰＭＺの制作完了を通知する（ステップＳ１０）。
【００６６】
サーバコンピュータシステムＳＹＳ１は、クライアントコンピュータシステムＳＹＳ２から部分モザイクＰＭＺの制作完了の通知を受信すると、クライアントコンピュータシステムＳＹＳ２にアクセスして、ハードディスクＳＹＳ２１ｃ保存してある部分モザイクＰＭＺの画像ＰＭＺｉを、付された位置情報とともに取得する（ステップＳ１１）。この後、サーバコンピュータシステムＳＹＳ２は、取得した部分モザイクＰＭＺの画像ＰＭＺｉを、付された位置情報に基づいて進捗画像ＩＰの対応位置に合成して、進捗画像ＩＰを更新して保存する（ステップＳ１２）。すなわち、進捗画像ＩＰは、取得した部分モザイクＰＭＺの画像ＰＭＺｉによる更新前には、選択された部分画ＰＰの場所が無地の画像ＩＧｐになっているが、その無地の画像ＩＧｐ部分に、それぞれのクライアントコンピュータシステムＳＹＳ２にアクセスして取得した部分モザイクＰＭＺの画像ＰＭＺｉを順次合成することにより、モザイクの実物の画像に近似するものとなる。
【００６７】
したがって、進捗画像ＩＰにおいては、部分モザイクＰＭＺを制作するための部分画ＰＰが表示されている部分と、部分画ＰＰが既に選択されたことにより無地の画像ＩＧｐが表示されている部分と、完成した部分モザイクＰＭＺの画像ＰＭＺｉが表示されている部分とが入り交じって一つの画像として形成されるものである。
【００６８】
このように、進捗画像ＩＰが、部分画ＰＰが選択される毎に、かつ部分モザイクＰＭＺの画像ＰＭＺｉが合成される毎に更新されるので、モザイクの制作を管理する管理者も、各作業所の担当者や作業者も同時にモザイクの制作の進捗状態をほぼ同時に把握することが可能になる。このため、部分モザイクＰＭＺの制作が未だに開始されていない部分が全体のどの程度の割合で存在し、制作途中の部分モザイクＰＭＺ及び制作の完了した部分モザイクが全体のどの程度の割合で存在するのかを視覚的に把握することができるものとなる。
【００６９】
このモザイク作成システムにあっては、上述したように、タイル１を配置するために配置作業用器具２を使用し、配置したタイル１が正しいものであるか否かの判定をクライアントコンピュータシステムＳＹＳ２により画像の処理をして行っているので、作業者の負担を低減することができる。このため、健常者、身体障害者（下半身、聴覚に障害のある者）、知的障害者の別なく、同じ精度で部分モザイクＰＭＺを制作することができる。
【００７０】
知的障害者の場合、各知的障害者はモザイクにおける一つ一つのタイルのごとく、社会を構成する一員として認知されているものの、その有する能力は各個人により千差万別である。それゆえ、それぞれの知的障害者が能力を活用しようとしても、活用し得る場が限られてくる場合が多々ある。このような状況から、健常者を中心とする現在の社会構成においては、知的障害者が社会経済活動に参加できる機会は必ずしも多くはない。この実施形態では、上述のごとく、作業者である知的障害者にかかる負担を最小限にすることができるため、知的障害者の社会経済活動への参加を大幅に促進させるものである。しかも、部分モザイクＰＭＺを制作した後、進捗画像ＩＰを確認することにより、知的障害者は、自分が制作した部分モザイクＰＭＺが制作中のモザイク全体の中でどのような役割を果たしているのかを容易に認識することができる。
【００７１】
したがって、知的障害者が、社会経済活動に参加できる機会を大幅に増やすことができ、知的障害者の自立を援助することができる。しかも、制作した部分モザイクＰＭＺが果たしている役目を、進捗画像ＩＰを通して部分モザイクＰＭＺを制作する毎に理解することができるので、知的障害者の労働意欲を喚起することができる。
【００７２】
そして、部分モザイクＰＭＺの制作が完了し、進捗画像ＩＰにその部分モザイクＰＭＺの画像ＰＭＺｉが取り込まれたなら、紙特には和紙の一方の表面のほぼ全面に糊を塗り、糊を塗布した和紙を配置領域３ａに配置したタイル１に覆い被せて貼り付け、貼り付けた和紙により配置したタイル１を仮固定する。この和紙は、搬送中にタイル１が移動することを防止するもので、タイル１を施工現場においてモルタルコンクリートなどで固定した後にタイル１から剥がされる。枠体３における配置領域３ａを形成する平板部３ｅがタイル１の厚みより薄いため、配置領域３ａに配置されたタイル１の表面が平板部３ｅより高くなり、和紙をタイル１に容易に貼り付けることができる。また、和紙は糊を使用してタイル１に貼り付けているので、糊が乾燥することにより容易にタイル１を固定することができ、しかも和紙をタイル１から剥がす場合は和紙を水で濡らすだけで容易にタイル１から剥がすことができる。このように和紙を用いてタイル１を仮固定することにより、施工現場が曲面であっても、部分モザイクＰＭＺを容易に配置することができる。
【００７３】
各作業所において制作された部分モザイクＰＭＺは、モザイクの施工現場に集められる。そして、集められた部分モザイクＰＭＺそれぞれは、施工現場において原画ＯＰにおけるそれぞれの部分画ＰＰに対応させて配置され、モザイクが制作される。モザイクを制作するにあったって、それぞれの部分モザイクＰＭＺを複数の作業所において並行して制作することにより、モザイクを施工現場で制作する場合などに比べて、その制作に要する期間を短縮することができる。
【００７４】
施工現場において、それぞれの部分モザイクＰＭＺは、原画ＯＰを分割したぞれぞれの部分画ＰＰに対応しているので、それぞれの部分画ＰＰのアドレスに応じて対応する場所に配設する。この場合に、それぞれの部分画ＰＰの輪郭すなわち分割線ＬＤは、それぞれの部分モザイクＰＭＺを制作した配置作業用器具２の枠体３の内側輪郭３ｂに一致するので、分割線ＬＤに内側輪郭３ｂを重ね合わせるようにして部分モザイクＰＭＺを配置していくことにより、施工現場において隣接する部分モザイクＰＭＺ間には、枠体３の凸部３ｄの高さにほぼ相当する幅の目地が形成される。又、形成される目地は、この実施形態にあっては、内側輪郭３ｂが自由曲線であるので、完成したモザイクにおいて部分モザイクＰＭＺ内の目地と区別がつきにくく、部分モザイクＰＭＺ同士を円滑に一体化させることができる。つまり、モザイクは部分モザイクＰＭＺを集合して制作するものであるが、部分モザイクＰＭＺ同士は自由曲線をなぞった目地を介して結合されるので、部分モザイクＰＭＺ間の目地を意識することなく部分モザイクＰＭＺ同士を自然に連続させることができる。
【００７５】
なお、上記実施形態にあっては、原画ＯＰ及び部分画ＰＰをクライアントコンピュータシステムＳＹＳ２側から取得する構成のものを説明したが、サーバコンピュータシステムＳＹＳ１がクライアントコンピュータシステムＳＹＳ２に対して供給するものであってよい。すなわち、サーバコンピュータシステム１は、クライアントコンピュータシステムＳＹＳ２がサーバコンピュータシステムＳＹＳ１にアクセスした際に、まず原画ＯＰをクライアントコンピュータシステムＳＹＳ２に供給し、さらにその原画ＯＰに含まれる部分画ＰＭＺの一つを選択してクライアントコンピュータシステムＳＹＳ２に供給する画像供給手段ＭＳ１３（図４に点線にて示す）を備えるものである。この場合、サーバコンピュータシステムＳＹＳ１は、受け付けたクライアントコンピュータシステムＳＹＳ２のアクセスの順にあわせて、部分画ＰＭＺに付されたアドレスの昇順あるいは降順に、部分画ＰＭＺを選択してクライアントコンピュータシステムＳＹＳ２に供給する、あるいは、本部の管理者が作業所の人員配置を考慮して部分画を選択してクライアントコンピュータシステムＳＹＳ２に供給するものである。
【００７６】
このような構成であると、作業者が行わなければならない作業が減少し、その分作業者の負担を軽減することができる。また、作業者が部分画ＰＰを選択しないので、部分画ＰＰの内容、つまり難易度により選り好みをすると言ったことがなくなるので、各作業所ひいては各作業者に対して公平に部分画ＰＰを分配することができる。また、本部の管理者が選択する場合、作業所の能力や作業者の能力を基準に部分画ＰＰを選択することもできるので、他に比べて難易度の高い構成の部分画ＰＰを能力の高い作業所、作業者に割り当て、そうでない部分画ＰＰをその他の作業所、作業者に割り当てることで、部分モザイクＰＭＺの制作に要する作業時間を平均化し、全体の進捗状態をほぼ同じにすることができ、部分的に遅れが出ないようにしてモザイクを制作することができる。
【００７７】
また、上述の実施形態においては、部分モザイクＰＭＺの画像ＰＭＺｉを、サーバコンピュータシステムＳＹＳ１が取得する構成を説明したが、部分モザイクＰＭＺが完成した後、クライアントコンピュータシステムＳＹＳ２から部分モザイクＰＭＺの画像ＰＭＺｉをサーバコンピュータシステムＳＹＳ１にアップロードするものであってもよい。この場合、クライアントコンピュータシステムＳＹＳ２は、部分モザイクＰＭＺの画像ＰＭＺｉ（画像データ）が完成した後、順次サーバコンピュータシステムＳＹＳ１に送信される構成、つまり、作業者が部分モザイクＰＭＺの制作が完了したことをキーボードを操作して入力することで部分モザイクＰＭＺの画像ＰＭＺｉを作成し、その画像ＰＭＺｉが完成した後にシーケンシャルのその画像ＰＭＺｉをサーバコンピュータシステムＳＹＳ１に送信する構成である。このように構成することにより、部分モザイクＰＭＺが完成した場合に、必ずその画像ＰＭＺｉのアップロードの漏れを防止することができる。
【００７８】
さらに、上述の実施形態においては、報知手段ＭＳ１１として音声により判定結果を報知するものを説明したが、この音声による報知に代えて、クライアント側表示装置において表示を変化させる、あるいは特定の文字や記号を表示することにより判定結果を報知するものであってもよい。具体的には、配置されたタイルが正しいものである場合には、記号「○」を表示している状態で、これに重ね合わせてタイルを連想させる図形を例えば白色に塗り潰して所定時間だけ点滅させて表示する、「ＯＫ」、「正しいです。」と言った文字を表示するなどである。逆に、誤った配置である場合には、記号「×」を表示しながら例えば赤色に塗り潰した図形を所定時間だけ点滅させて表示する、「間違いです。」、「やり直してください。」と言った文字を表示するなどである。以上のように、判定結果を表示する際に、その判定結果を音色の異なる音（電子音、ブザー音など）を同時に出力するものであってよい。
【００７９】
さらにまた、上記実施形態では、枠体３の基本的な形状を正方形としたが、正三角形、長方形、正五角形、正六角形などであってもよい。同様に、内側輪郭３ｂにあっても、正方形、正三角形、長方形、正五角形などであってもよい。
【００８０】
加えて、上記実施形態においては、内側輪郭３ｂを基準線として凸部３ｄを形成するものを説明したが、離間手段としては、内側輪郭３ｂを中心にして凹部と凸部とを交互に配置するものであってもよい。この場合、内側輪郭３ｂから凸部の頂点までの距離（寸法）と、凹部の底までの距離（寸法）とをほぼ等しくするものである。
【００８１】
さらに、タイル１を配置するのみであるなら、作業台の上に枠体３を載置して作業を行えるものである。つまり、枠支持体４は、枠体３を移動不能にするとともに、和紙を貼り付けて仮固定されたタイル１の運搬を容易にするものであるが、枠支持体４に代えて和紙により仮固定されたタイル１の運搬時にトレイあるいは運搬のための容器を使用するものであるのなら、枠支持体４は省略することが可能である。
【００８２】
その他、各部の具体的構成についても上記実施形態に限られるものではなく、本発明の趣旨を逸脱しない範囲で種々変形が可能である。
【図面の簡単な説明】
【００８３】
【図１】本発明の一実施形態の全体構成を示す構成説明図。
【図２】同実施形態における原画、部分画及び部分モザイクの構成を示す構成説明図。
【図３】同実施形態のサーバコンピュータシステムの構成を示すブロック図。
【図４】同実施形態のサーバコンピュータシステムの機能を示すブロック図。
【図５】同実施形態における進捗画像の構成を示す構成説明図。
【図６】同実施形態のクライアントコンピュータシステムの構成を示すブロック図。
【図７】同実施形態のクライアントコンピュータシステムの構成を示すブロック図。
【図８】同実施形態における配置作業用器具作業装置を示す斜視図。
【図９】同実施形態の作業装置におけるクライアントコンピュータシステムの概略構成説明図。
【図１０】同実施形態における配置作業用器具配置作業用器具の斜視図。
【図１１】同実施形態における配置作業用器具の枠体の種類を示す平面図。
【図１２】同実施形態における配置作業用器具の枠体及び枠支持体の平面図。
【図１３】同実施形態における配置作業用器具のタイルを配置した状態での断面図。
【図１４】同実施形態の動作を説明するためのフローチャート。
【図１５】同実施形態における配置作業用器具のタイルを配置した状態での平面図。
【符号の説明】
【００８４】
ＳＹＳ１…サーバコンピュータシステム
ＳＹＳ２…クライアントコンピュータシステム
ＭＳ１…原画作成手段
ＭＳ２…原画蓄積手段
ＭＳ３…進捗画像作成手段
ＭＳ４…進捗画像蓄積手段
ＭＳ５…サーバ側出力手段
ＭＳ６…画像取得手段
ＭＳ７…クライアント側出力手段
ＭＳ８…部分モザイク画像作成手段
ＭＳ９…部分画選択手段
ＭＳ１０…判定手段
ＭＳ１１…通知手段
ＭＳ１２…完了通知手段
ＭＳ１３…画像供給手段
１…タイル
２…配置作業用器具
Ｗ１…作業装置
１１ｂ…作業面
【図１】
2006050129.tif 000003
【図２】
2006050129.tif 000004
【図３】
2006050129.tif 000005
【図４】
2006050129.tif 000006
【図５】
2006050129.tif 000007
【図６】
2006050129.tif 000008
【図７】
2006050129.tif 000009
【図８】
2006050129.tif 000010
【図９】
2006050129.tif 000011
【図１０】
2006050129.tif 000012
【図１１】
2006050129.tif 000013
【図１２】
2006050129.tif 000014
【図１３】
2006050129.tif 000015
【図１４】
2006050129.tif 000016
【図１５】
2006050129.tif 000017